(57)【要約】      （修正有）【課題】吹出空気の送風抵抗を小さくして騒音の上昇や熱交換効率の低下を防止し、また装置の小型化を図る。【解決手段】筐体と、筐体の内部中央に配置された送風ファンと、送風ファンを回転駆動するモータと、送風ファンの周囲を囲むように縦姿勢で配置された熱交換器１２と、熱交換器１２に送る空気を吸い込む吸込口１６ｂおよび熱交換器１２で冷媒と熱交換された空気を吹き出す吹出口１６ａを有し、筐体の下面を閉じる化粧パネル１６とを備える。化粧パネル１６は、吹出口１６ａが中央に配置され吸込口１６ｂが吹出口１６ａを囲むように吹出口１６ａの周囲に配置されている。【選択図】図１
2015172458.tif 000002
【特許請求の範囲】
【請求項１】
筐体と、該筐体の内部中央に配置された送風ファンと、該送風ファンを回転駆動するモータと、前記送風ファンの周囲の少なくとも１部を囲むように縦姿勢で配置された熱交換器と、該熱交換器に送る空気を吸い込む吸込口および前記熱交換器で冷媒と熱交換された空気を吹き出す吹出口を有し前記筐体の下面を閉じる化粧パネルと、を備えた天井埋込型空気調和機において、
前記化粧パネルは、前記吹出口が中央に配置され、前記吸込口が前記吹出口を囲むように前記吹出口の周囲に配置されていることを特徴とする天井埋込型空気調和機。
【請求項２】
請求項１に記載の天井埋込型空気調和機において、
前記吹出口は、前記送風ファンの直下となる位置に配置され、前記吸込口は前記熱交換器の外側の直下となる位置に配置されていることを特徴とする天井埋込型空気調和機。
【請求項３】
請求項１又は２に記載の天井埋込型空気調和機において、
前記吹出口の合計面積と前記吸込口の合計面積が等しく設定されていることを特徴とする天井埋込型空気調和機。
【請求項４】
請求項１、２又は３に記載の天井埋込型空気調和機において、
前記送風ファンは、プロペラファンからなることを特徴とする天井埋込型空気調和機。
【発明の詳細な説明】
【技術分野】
【０００１】
本発明は、装置の小型化を図った天井埋込型空気調和機に関する。
【背景技術】
【０００２】
従来から、室内の天井に埋込設置される天井埋込型空気調和機は、化粧パネルを天井面とほぼ同一レベルとなるように配置し、その化粧パネルの中央に吸込口を設けるとともに、同じ化粧パネルの周囲に吹出口を設けていた。
【０００３】
図５はその従来の天井埋込型空気調和機３０の概略構成を示す図である。２０は天井である。天井埋込型空気調和機３０は、天井２０の裏面に突出するように配置された筐体３１と、その筐体３１の側面内側に沿うように周方向に縦配置された熱交換器３２と、その熱交換器３２で囲まれるように配置されたターボファン型の送風ファン３３と、その送風ファン３３を回転駆動するモータ３７と、中央に吸込口３４ａが形成され周囲に吹出口３４ｂが形成された化粧パネル３４と、風向板３５と、化粧パネル３４を筐体３１に対して支持する支持部材３６と、吸込口３４ａから吸い込んだ空気を送風ファン３３に導く吸込ガイド３８と、を備えている
【０００４】
暖房運転あるいは冷房運転の際は、送風ファン３３の回転によって、室内から吸込口３４ａと吸込ガイド３８を経由して吸い込まれた空気が、点線矢印Ｂで示す経路を経由して、熱交換器３２で冷媒と熱交換されてから、吹出口３４ｂより室内に吹き出される。
【０００５】
ところが、図５の天井埋込型空気調和機は、送風ファン３３によって中央の吸込口３４ａから吸い込まれた空気が、熱交換器３２を通過した後に、筐体３１の内側壁によって下向きに急激に方向を９０度転じて、吹出口３４ｂから室内に吹き出されるので、筐体内を流れる空気が受ける送風抵抗が大きくなって、騒音の上昇や熱交換効率の低下を招くという問題があった。
【０００６】
そこで、これを防止するために、熱交換器３２と筐体３１の内側壁との間のスペースを大きくすることが行われているが、この手法では筐体３１や化粧パネル３４が大型化する別の問題が発生する。また、特許文献１に示すように、吹出口を化粧パネルの４辺のみならず、４角にも設けて吹出合計面積を大きくしたものも存在するが、送風抵抗の低減は十分ではなかった。
【先行技術文献】
【特許文献】
【０００７】
【特許文献１】特開２０１１−０９９６１２号公報
【発明の概要】
【発明が解決しようとする課題】
【０００８】
本発明の目的は、筐体内を流れる空気が受ける送風抵抗を小さくして騒音の上昇や熱交換効率の低下を防止し、また装置の小型化を図った天井埋込型空気調和機を提供することである。
【課題を解決するための手段】
【０００９】
上記目的を達成するために、請求項１にかかる発明は、筐体と、該筐体の内部中央に配置された送風ファンと、該送風ファンを回転駆動するモータと、前記送風ファンの周囲の少なくとも１部を囲むように縦姿勢で配置された熱交換器と、該熱交換器に送る空気を吸い込む吸込口および前記熱交換器で冷媒と熱交換された空気を吹き出す吹出口を有し前記筐体の下面を閉じる化粧パネルと、を備えた天井埋込型空気調和機において、前記化粧パネルは、前記吹出口が中央に配置され、前記吸込口が前記吹出口を囲むように前記吹出口の周囲に配置されていることを特徴とする。
【００１０】
請求項２にかかる発明は、請求項１に記載の天井埋込型空気調和機において、前記吹出口は、前記送風ファンの直下となる位置に配置され、前記吸込口は前記熱交換器の外側の直下となる位置に配置されていることを特徴とする。
【００１１】
請求項３にかかる発明は、請求項１又は２に記載の天井埋込型空気調和機において、前記吹出口の合計面積と前記吸込口の合計面積が等しく設定されていることを特徴とする機。
【００１２】
請求項４にかかる発明は、請求項１、２又は３に記載の天井埋込型空気調和機において、前記送風ファンは、プロペラファンからなることを特徴とする。
【発明の効果】
【００１３】
本発明によれば、吹出口が化粧パネルの中央に配置され、吸込口がその吹出口を囲むように周囲に配置されているので、熱交換器から吹き出される空気は筐体の内側壁に当たることはなく、大きな送風抵抗が発生しないので、騒音の上昇や熱交換効率の低下を招くことを防止できる。また、熱交換器と筐体の内側壁との間に大きなスペースを設ける必要がなくなり、装置の小型化を実現できる。
【図面の簡単な説明】
【００１４】
【図１】本発明の実施例の天井埋込型空気調和機の化粧パネルを下面から見た説明図である。
【図２】本発明の実施例の天井埋込型空気調和機の斜視図である。
【図３】本発明の実施例の天井埋込型空気調和機を底面から見た図である。
【図４】図３のＩＶ−ＩＶ線に沿った断面図である。
【図５】従来の天井埋込型空気調和機の縦断面図である。
【発明を実施するための形態】
【００１５】
図１〜図４に本発明の実施例の天井埋込型空気調和機１０を示す。本実施例の天井埋込型空気調和機１０は、天井２０の裏面に突出するように配置された筐体１１と、その筐体１１の内側に縦置きで配置された熱交換器１２と、その熱交換器１２の下面に位置するドレンパン１３と、その熱交換器１２で囲まれるように配置され垂直方向に回転軸をもつプロペラファン型の送風ファン１４と、その送風ファン１４を回転駆動するモータ１５と、その中央に吹出口１６ａが形成されその吹出口１６ａの周囲に吸込口１６ｂが形成された化粧パネル１６と、を備える。
【００１６】
化粧パネル１６の吸込口１６ｂは、図１に示すように、筐体１１内に配置される熱交換器１２の投影部分１２Ａの外側に、その投影部分１２Ａの外形に沿って連続的に配置されている。そして、その吸込口１６ｂの合計面積は、中央の吹出口１６ａの面積と同一に設定されている。
【００１７】
暖房運転や冷房運転の際は、送風ファン１４の回転によって、室内から吸込口１６ｂを経由して吸い込まれた空気が、点線矢印Ａで示す経路を経由して、熱交換器１２で冷媒と熱交換されてから、吹出口１６ａより室内に吹き出される。送風運転の場合は熱交換されず室内に吹き出される。
【００１８】
したがって、筐体１１の内側壁と熱交換器１２の外側との間の空間は、送風ファン１４に吸い込まれる風が通過する領域となり、その吸い込まれる風がその内側壁や内上壁に強く衝突することはないので、その筐体１１の内側壁と熱交換器１２の外側との間隔を従来よりも狭くすることができ、これにより筐体１１の全体形状を小さくすることができる。
【００１９】
また、送風ファン１４によって吹き出される風は、送風ファン１４の直下に位置する化粧パネル１６の吹出口１６ａから吹き出される。このため、この吹出経路は直線的となり、しかも吹出に対する送風抵抗がほとんど存在しないので、従来の送風抵抗によって生じていた騒音の上昇や熱交換効率の低下を防止できる。また、その送風ファン１４の送風能力を小さくすることができ、モータ１５を小型化することが可能となる。
【符号の説明】
【００２０】
１０：天井埋込型空気調和機、１１：筐体、１２：熱交換器、１３：ドレンパン、１４：送風ファン、１５：モータ、１６：化粧パネル、１６ａ：吹出口、１６ｂ：吸込口
２０：天井
【図１】
2015172458.tif 000003
【図２】
2015172458.tif 000004
【図３】
2015172458.tif 000005
【図４】
2015172458.tif 000006
【図５】
2015172458.tif 000007